(57)【要約】  画像処理装置は、ユーザによる指示入力を取得する指示入力取得部と、前記指示入力に基づいて、撮像画像をトリミングするトリミング枠を制御するトリミング枠制御部と、前記指示入力に基づいて、前記撮像画像のオートフォーカスを行う範囲を示すＡＦ枠を制御するＡＦ枠制御部と、を備える。この構成により、カスタマイズしたトリミング枠に対して最適なＡＦ枠位置を設定することが可能となる。【選択図】図２
2013161424.tif 000002
【特許請求の範囲】
【請求項１】
ユーザによる指示入力を取得する指示入力取得部と、
前記指示入力に基づいて、画像をトリミングするトリミング枠を設定するトリミング枠設定部と、
前記トリミング枠に対して、前記画像の検出を行う範囲を示す検出枠を設定する検出枠設定部と、
を備える、画像処理装置。
【請求項２】
前記指示入力取得部は、ユーザによる操作が入力される操作入力部である、請求項１に記載の画像処理装置。
【請求項３】
前記指示入力取得部は、タッチパネルから構成される、請求項２に記載の画像処理装置。
【請求項４】
前記トリミング枠設定部は、前記タッチパネルへのマルチタッチ操作に基づいて、前記トリミング枠を設定する、請求項３に記載の画像処理装置。
【請求項５】
前記指示入力取得部は、ユーザによる音声が入力される音声入力部である、請求項１に記載の画像処理装置。
【請求項６】
前記検出枠設定部は、前記トリミング枠に対して前記検出枠を自動で設定する、請求項１に記載の画像処理装置。
【請求項７】
前記検出枠設定部は、前記指示入力に基づいて、前記トリミング枠に対して前記検出枠を制御する、請求項１に記載の画像処理装置。
【請求項８】
前記トリミング枠及び前記検出枠を表示する表示部を備える、請求項１に記載の画像処理装置。
【請求項９】
前記撮像画像を撮像する撮像素子を備える、請求項１に記載の画像処理装置。
【請求項１０】
前記トリミング枠設定部は、前記トリミング枠のサイズ又は位置を制御する、請求項１に記載の画像処理装置。
【請求項１１】
前記検出枠検出部は、前記検出枠のサイズ又は位置、若しくは前記検出枠の追加又は削除を設定する、請求項１に記載の画像処理装置。
【請求項１２】
前記トリミング枠設定部は、前記トリミング枠のアスペクト比を予め定められたアスペクト比に設定する、請求項１に記載の画像処理装置。
【請求項１３】
確定した前記トリミング枠及び前記検出枠を記憶部に記憶させる記憶処理部を備える、請求項１に記載の画像処理装置。
【請求項１４】
前記記憶処理部は、確定した前記トリミング枠及び前記検出枠を登録名とともに記録させる、請求項１に記載の画像処理装置。
【請求項１５】
ユーザによる指示入力を取得することと、
前記指示入力に基づいて、画像をトリミングするトリミング枠を設定することと、
前記トリミング枠に対して、前記画像の検出を行う範囲を示す検出枠を設定することと、
を備える、画像処理方法。
【請求項１６】
ユーザによる指示入力を取得することと、
前記指示入力に基づいて、画像をトリミングするトリミング枠を設定することと、
前記トリミング枠に対して、前記画像の検出を行う範囲を示す検出枠を設定することと、
をコンピュータに実行させるためのプログラムを記録したコンピュータ読み取り可能な記録媒体。
【発明の詳細な説明】
【技術分野】
【０００１】
本開示は、画像処理装置、画像処理方法及び記録媒体に関する。
【背景技術】
【０００２】
従来、下記の特許文献１には、フォーカスエリアをプリセットすることが記載されている。また、下記の特許文献２には、ユーザがトリミング枠をカスタマイズすることが記載されている。
【先行技術文献】
【特許文献】
【０００３】
【特許文献１】特開２０１０−２２４４９９号公報
【特許文献２】特開２００６−２７９６６１号公報
【発明の概要】
【発明が解決しようとする課題】
【０００４】
しかしながら、撮影した画像を例えば六切サイズや四切サイズ等の大きさでプリントしたい場合、３：２や４：３で撮影した画像に対して、トリミングする必要がある。そのとき、構図が変わってしまい、ユーザーのイメージと違ったものになる場合がある。【０００５】
特許文献１に記載された技術では、トリミング枠をカスタマイズすることは何ら想定しておらず、トリミング後の構図に対してベストなＡＦ枠位置を設定することは困難である。特許文献２に記載された技術においても、トリミング後の構図に対してベストなＡＦ枠位置を設定することは困難である。【０００６】
そこで、カスタマイズしたトリミング枠に対して最適なＡＦ枠位置を設定することが求められていた。
【課題を解決するための手段】
【０００７】
本開示によれば、ユーザによる指示入力を取得する指示入力取得部と、前記指示入力に基づいて、画像をトリミングするトリミング枠を設定するトリミング枠設定部と、前記トリミング枠に対して、前記画像の検出を行う範囲を示す検出枠を設定する検出枠設定部と、を備える、画像処理装置が提供される。【０００８】
また、前記指示入力取得部は、ユーザによる操作が入力される操作入力部であっても良い。【０００９】
また、前記指示入力取得部は、タッチパネルから構成されるものであっても良い。【００１０】
また、前記トリミング枠設定部は、前記タッチパネルへのマルチタッチ操作に基づいて、前記トリミング枠を設定するものであっても良い。【００１１】
また、前記指示入力取得部は、ユーザによる音声が入力される音声入力部であっても良い。【００１２】
また、前記検出枠設定部は、前記トリミング枠に対して前記検出枠を自動で設定するものであっても良い。【００１３】
また、前記検出枠設定部は、前記指示入力に基づいて、前記トリミング枠に対して前記検出枠を制御するものであっても良い。【００１４】
また、前記トリミング枠及び前記検出枠を表示する表示部を備えるものであっても良い。【００１５】
また、前記撮像画像を撮像する撮像素子を備えるものであっても良い。【００１６】
また、前記トリミング枠設定部は、前記トリミング枠のサイズ又は位置を制御するものであっても良い。【００１７】
また、前記検出枠検出部は、前記検出枠のサイズ又は位置、若しくは前記検出枠の追加又は削除を設定するものであっても良い。【００１８】
また、前記トリミング枠設定部は、前記トリミング枠のアスペクト比を予め定められたアスペクト比に設定するものであっても良い。【００１９】
また、確定した前記トリミング枠及び前記検出枠を記憶部に記憶させる記憶処理部を備えるものであっても良い。【００２０】
また、前記記憶処理部は、確定した前記トリミング枠及び前記検出枠を登録名とともに記録させるものであっても良い。【００２１】
また、本開示によれば、ユーザによる指示入力を取得することと、前記指示入力に基づいて、画像をトリミングするトリミング枠を設定することと、前記トリミング枠に対して、前記画像の検出を行う範囲を示す検出枠を設定することと、を備える、画像処理方法が提供される。【００２２】
また、本開示によれば、ユーザによる指示入力を取得することと、前記指示入力に基づいて、画像をトリミングするトリミング枠を設定することと、前記トリミング枠に対して、前記画像の検出を行う範囲を示す検出枠を設定することと、をコンピュータに実行させるためのプログラムを記録したコンピュータ読み取り可能な記録媒体が提供される。
【発明の効果】
【００２３】
本開示によれば、カスタマイズしたトリミング枠に対して最適なＡＦ枠位置を設定することが可能となる。
【図面の簡単な説明】
【００２４】
【図１Ａ】各実施形態に係るデジタルカメラの外観を示す模式図である。
【図１Ｂ】各実施形態に係るデジタルカメラの外観を示す模式図である。
【図２】デジタルカメラの構成を示すブロック図である。
【図３Ａ】トリミング枠・ＡＦ枠の設定モードに入ってからの操作の具体例を示す模式図である。
【図３Ｂ】トリミング枠・ＡＦ枠の設定モードに入ってからの操作の具体例を示す模式図である。
【図３Ｃ】トリミング枠・ＡＦ枠の設定モードに入ってからの操作の具体例を示す模式図である。
【図３Ｄ】トリミング枠・ＡＦ枠の設定モードに入ってからの操作の具体例を示す模式図である。
【図３Ｅ】トリミング枠・ＡＦ枠の設定モードに入ってからの操作の具体例を示す模式図である。
【図３Ｆ】トリミング枠・ＡＦ枠の設定モードに入ってからの操作の具体例を示す模式図である。
【図４Ａ】ＡＦ枠の操作の具体例を示す模式図である。
【図４Ｂ】ＡＦ枠の操作の具体例を示す模式図である。
【図４Ｃ】ＡＦ枠の操作の具体例を示す模式図である。
【図４Ｄ】ＡＦ枠の操作の具体例を示す模式図である。
【図４Ｅ】ＡＦ枠の操作の具体例を示す模式図である。
【図４Ｆ】ＡＦ枠の操作の具体例を示す模式図である。
【図４Ｇ】ＡＦ枠の操作の具体例を示す模式図である。
【図５Ａ】第１の実施形態の処理手順を示すフローチャートである。
【図５Ｂ】第１の実施形態の処理手順を示すフローチャートである。
【図５Ｃ】第１の実施形態の処理手順を示すフローチャートである。
【図５Ｄ】第１の実施形態の処理手順を示すフローチャートである。
【図５Ｅ】第１の実施形態の処理手順を示すフローチャートである。
【図５Ｆ】第１の実施形態の処理手順を示すフローチャートである。
【図６Ａ】トリミング枠・ＡＦ枠の設定モードに入ってからの操作の具体例を示す模式図である。
【図６Ｂ】トリミング枠・ＡＦ枠の設定モードに入ってからの操作の具体例を示す模式図である。
【図６Ｃ】トリミング枠・ＡＦ枠の設定モードに入ってからの操作の具体例を示す模式図である。
【図６Ｄ】トリミング枠・ＡＦ枠の設定モードに入ってからの操作の具体例を示す模式図である。
【図６Ｅ】トリミング枠・ＡＦ枠の設定モードに入ってからの操作の具体例を示す模式図である。
【図６Ｆ】トリミング枠・ＡＦ枠の設定モードに入ってからの操作の具体例を示す模式図である。
【図７Ａ】ＡＦ枠の操作の具体例を示す模式図である。
【図７Ｂ】ＡＦ枠の操作の具体例を示す模式図である。
【図７Ｃ】ＡＦ枠の操作の具体例を示す模式図である。
【図７Ｄ】ＡＦ枠の操作の具体例を示す模式図である。
【図７Ｅ】ＡＦ枠の操作の具体例を示す模式図である。
【図７Ｆ】ＡＦ枠の操作の具体例を示す模式図である。
【図７Ｇ】ＡＦ枠の操作の具体例を示す模式図である。
【図７Ｈ】ＡＦ枠の操作の具体例を示す模式図である。
【図８Ａ】第１の実施形態の処理手順を示すフローチャートである。
【図８Ｂ】第１の実施形態の処理手順を示すフローチャートである。
【図８Ｃ】第１の実施形態の処理手順を示すフローチャートである。
【図８Ｄ】第１の実施形態の処理手順を示すフローチャートである。
【図８Ｅ】第１の実施形態の処理手順を示すフローチャートである。
【図９Ａ】第３の実施形態の構成例を示す模式図である。
【図９Ｂ】第３の実施形態の構成例を示す模式図である。
【発明を実施するための形態】
【００２５】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００２６】
なお、説明は以下の順序で行うものとする。
１．第１の実施形態
１．１．デジタルカメラの構成例
１．２．トリミング枠、ＡＦ枠をカスタマイズして設定する方法の具体例
１．３．第１の実施形態の処理手順
１．４．カスタマイズしたトリミング枠、ＡＦ枠で撮影する場合のＡＦについて
１．５．ユ−ザがカスタマイズしたトリミング枠、ＡＦ枠で撮影した画像データの再生について
２．第２の実施形態
２．１．トリミング枠、ＡＦ枠をカスタマイズして設定する方法の具体例
２．２．第２の実施形態の処理手順
３．第３の実施形態
【００２７】
＜１．第１の実施形態＞
［１．１．デジタルカメラの構成例］
まず、図１Ａ、図１Ｂ、図２を参照して、本開示の各実施形態に係るデジタルカメラ（画像処理装置）１００の概略構成について説明する。図１Ａ及び図１Ｂは、デジタルカメラ１００の外観を示す模式図である。図１Ａはデジタルカメラ１００を正面から見た状態を示しており、図１Ｂはデジタルカメラ１００を裏面から見た状態を示している。図１Ａに示すように、デジタルカメラ１００は、撮像レンズ１０２、撮像素子１０４、レリーズボタン１０６、記録メディア１０８の挿入口１１０、撮影モード設定キー１１２、液晶パネル１１４、測距窓１１６を有して構成される。また、図１Ｂに示すように、デジタルカメラ１００は、表示情報設定変更キー１１８、ライブビュー表示用の液晶モニタ１２０、液晶モニタ１２０の表示画面上に設けられたタッチパネル１２１、撮影再生選択キー１２２、電源ボタン１２４、トリミング枠・ＡＦ枠カスタマイズボタン１２６、内蔵マイク１２８、電子ファインダ１４０を有して構成されている。
【００２８】
ユーザが撮影モード設定キー１１２を操作することにより、液晶パネル１１４の表示と併せて、絞り優先、シャッタースピード優先といった露光条件の設定や、マクロ撮影の切り替え、ズーム等の設定が可能である。また、ユーザが情報表示設定変更キー１１８を押すと、情報表示形態が切り替わる。
【００２９】
また、ユーザがトリミング枠・ＡＦ枠カスタマイズボタン１２６を押すことで、トリミング枠・ＡＦ枠をカスタマイズするモードに入る。内蔵マイク１２８は、音声認識を実現する機能を有する。
【００３０】
図２は、デジタルカメラ１００の構成を示すブロック図である。図２に示すように、デジタルカメラ１００は、撮像レンズ１０２、撮像素子（ＣＣＤ、ＣＭＯＳセンサ等）１０４、Ａ／Ｄ変換部１３０、画像処理部１３２、記録メディア１０８、ＣＰＵ１５０、タイミング制御部１３４、タイミングジェネレータ（ＴＧ）１３６、時計部１３８、電子ファインダー１４０、液晶パネル１１４、内蔵マイク１２８、液晶モニタ１２０、タッチパネル１２１、メモリ１４２、カスタマイズメモリ１４４、撮像レンズ駆動部１４６、撮影モード設定キー１１２、レリーズボタン１０６、表示情報設定変更キー１１８、を有して構成されている。タッチパネル１２１として、例えば静電容量に基づいて操作を検出する静電容量センサ、押圧力に基づいて操作を検出する押圧力センサ等を用いることができる。
【００３１】
図２において、細線の矢印は制御データの流れを示しており、太線の矢印は画像データの流れを示している。以下、図２に基づいて撮影、再生の流れを説明する。ユーザは、撮影前に、撮影再生選択キー１２２と液晶モニター１２０とを用いて、撮影状態か再生状態かを選択する。その設定内容は以下の通りである。
【００３２】
撮影再生選択キー１２２がオンの場合、すなわち再生状態が設定されている場合、ＣＰＵ１５０は、記録メディア１０８から画像データを読み出し、画像データを一旦メモリ１４２に記憶するよう制御する。ＣＰＵ１５０はメモリ１４２に記憶された画像データを画像処理部１３２に送るよう制御する。画像処理部１３２は、ＣＰＵ１５０の制御に基づいて、送られてきた画像データを液晶モニタ１２０や電子ファインダー１４０に表示できるフォーマットに処理し、処理後のデータを液晶モニタ１２０や電子ファインダー１４０に送る。また、液晶モニタ１２０はタッチパネル１２１を備えており、液晶モニタ１２０上をタッチ操作することにより、デジタルカメラ１００の操作を行うこともできる。
【００３３】
撮影再生選択キー１２２がオフの場合、すなわち撮影状態が設定されている場合、ユーザは撮影モード設定キー１１２と液晶モニタ１２０とを用いて、絞り優先、シャッタースピード優先といった露光条件の設定や、ホワイトバランスモードの切り替えなどを手動で設定できる。
【００３４】
レリーズボタン１０６が押されると、デジタルカメラ１００は、設定された撮影条件、画像処理モードの設定に基づいて撮影を行なう。すなわち、撮像レンズ駆動部１４６により撮像レンズ１０２を適当な被写体に合焦させるべく駆動した後、撮像素子（ＣＣＤ、ＣＭＯＳセンサ等）１０４から画像データを読み出す。
【００３５】
すなわち、ＣＰＵ１５０は、タイミングジェネレータ（ＴＧ）１３６に、撮像素子１０４の駆動モード情報を送り、指定のモードで撮像素子１０４を駆動するように制御する。また、ＣＰＵ１５０は、Ａ／Ｄ変換部１３０にＩＳＯ感度の設定やゲイン調整情報を送り、指定通りにＡ／Ｄ変換を行うように制御する。
【００３６】
読み出された画像データは、Ａ／Ｄ変換部１３０で指定されたＩＳＯ感度やゲインに従ってデジタルデータに変換される。Ａ／Ｄ変換部１３０は、タイミング制御部１３４で生成されるタイミングパルスに基づいて、画像データをデジタルデータに変換する。
【００３７】
そして、画像処理部１３２では、例えばゲイン処理やシェーディングテーブルを用いて色シェーディング補正等の画像処理を行い、処理の画像データを記録メディア１０８に記録する。
【００３８】
トリミング枠・ＡＦ枠カスタマイズボタン１２６が押されると、ＣＰＵ１５０は、トリミング枠及びＡＦ枠をカスタマイズするモードと認識し、液晶モニター１２０のタッチパネル１２１から送られてくる検出データや、内蔵マイク１２８からの音声を認識し、トリミング枠、及びＡＦ枠をカスタマイズするように制御する。トリミング枠及びＡＦ枠をカスタマイズした内容は、カスタマイズメモリ１４４に記憶される。
【００３９】
具体的には、ＣＰＵ１５０は、トリミング枠設定部１５０ａ、及びＡＦ枠設定部１５０ｂ、記憶処理部１５０ｃを有して構成されている。トリミング枠設定部１５０ａは、タッチパネル１２１への操作入力、内蔵マイク１２８への音声入力に基づいて、撮像画像をトリミングするトリミング枠のサイズ、位置等を設定する。ＡＦ枠制御部１５０ｂは、設定されたトリミング枠に対して、ＡＦ枠を自動又は手動により設定する。ＡＦ枠制御部１５０ｂは、ユーザの指示に基づいてＡＦ枠を設定する場合は、タッチパネル１２１への操作入力、内蔵マイク１２８への音声入力に基づいて、撮像画像のオートフォーカスを行う範囲を示すＡＦ枠のサイズ、位置、若しくはＡＦ枠の追加又は削除等の設定を制御する。記録処理部１５０ｃは、トリミング枠及びＡＦ枠をカスタマイズした内容（位置、サイズ、登録名を含む）をカスタマイズメモリ１４４に記憶させる。
【００４０】
トリミング枠設定部１５０ａ、及びＡＦ枠設定部１５０ｂ、記憶処理部１５０ｃの構成は、ＣＰＵ１５０と、ＣＰＵ１５０を機能させるためのプログラム（ソフトウェア）によって構成することができる。この場合に、そのプログラムは、メモリ１４２や外部から挿入される記録メディア１０８などの記録媒体に記録されることができる。
【００４１】
なお、本実施形態では、ＡＦ枠を設定する場合を例に挙げて説明するが、これに限定されるものではない。本実施形態は、トリリング枠に対して、画像に関するデータ（例えば、輝度、色合い、ホワイトバランス値など）の検出を行う範囲を示す検出枠を設定する場合に広く適用することができ、ＡＦ枠は検出枠の一例である。
【００４２】
［１．２．トリミング枠、ＡＦ枠をカスタマイズして設定する方法の具体例］
デジタルカメラ１００の背面の液晶モニタ１２０はタッチパネル１２１を備えており、ユーザの指の操作でより容易にトリミング枠やＡＦ枠を配置することができる。なお、以下では、タッチパネル１２１に触れる操作によりトリミング枠やＡＦ枠を配置する例を説明するが、タッチパネル１２１へ触れることなく、指を近接させることによっても同様の操作を行うことができる。また、タッチパネル１２１への押圧力に応じて操作入力を異ならせることも可能である。
【００４３】
図３Ａ〜図３Ｆは、トリミング枠・ＡＦ枠の設定モードに入ってからの操作の具体例を示したものである。トリミング枠・ＡＦ枠カスタマイズボタン１２６を押すと、図３Ａ〜図３Ｆに示すような画面が順次に表示される。
【００４４】
トリミング枠・ＡＦ枠カスタマイズボタン１２６が押されると、先ず、図３Ａに示すような、トリミング枠のアスペクト比を決定するための項目が表れる。ここでは、写真の現像で一般的に使われる、２Ｌ版、６切、６切ワイド、４切、４切ワイド、正方形、カスタム、などのアスペクト比が表示されており、図３Ｂに示すように、ユーザはその中から所望のアスペクト比を選択することができる。
【００４５】
この例では、ユーザが６切サイズを選択したものとする。ユーザは、図３Ｂに示すように、トリミング枠のアスペクト比（６切サイズ）を決定し、「確定」ボタンをタッチする。続いて、図３Ｃに示すように、ＡＦ枠配置の項目が表示される。ユーザは、図３Ｄに示すように、ＡＦ枠配置の項目の中から所望の項目を選択することができる。
【００４６】
この例では、ユーザが「３分割構図交点」の項目を選択したものとする。ユーザは、複数の項目を選択することもできる。選択する場合、ユーザがＡＦ枠の下欄の項目にタッチすると、その項目にレ点が表示され、その項目が選択される。ユーザがもう一度その項目をタッチすると、レ点が消去され、選択が解除される。
【００４７】
ユーザが図３Ｄに示すようにＡＦ枠配置の項目を選び、「確定」ボタンにタッチすると、図３Ｅに示すように、確定されたトリミング枠２００とＡＦ枠２０２が表示される。トリミング枠２００のアスペクト比は、図３Ｂで選択した６切相当となっており、ＡＦ枠２０２の配置はそのトリミング枠２００の中での３分割構図の交点に配置されている。
【００４８】
図３Ｅに示すトリミング枠２００は、例えば、左下の隅を親指で、右上の隅を人差し指でタッチパネル１２１に同時にタッチしてマルチタッチ操作することで、大きさを自由に変えることができる。また、指をスライドさせることで、トリミング枠２００の位置を変更することもできる。なお、トリミング枠２００の大きさや位置は自由に変更できるが、アスペクト比は既に選択された６切サイズが維持される。また、トリミング枠２００の大きさや位置を変更した場合、ＡＦ枠２０２の位置は変更されたトリミング枠２００の３分割構図交点に位置するように調整される。
【００４９】
なお、ここでは、人差し指と親指の同時タッチでの操作を例に挙げたが、1本の指で操作することも可能である。例えば、ユーザがトリミング枠２００の隅ではなく内部をタッチした場合は、トリミング枠２００の移動と判断し、ユーザがトリミング枠２００の隅をタッチした場合はトリミング枠２００のサイズ変更と判断することで、サイズ、場所の変更を可能にできる。また、指で操作する場所についても、トリミング枠２００の左下の隅へのタッチや右上の隅へのタッチに限定されるものではない。例えば、トリミング枠２００の左上の隅へタッチした場合や右下の隅へタッチした場合でもサイズや場所を変更することができる。
【００５０】
トリミング枠２００を所望の位置とサイズに変更した後、図３Ｆに示すように、ユーザーは「確定」ボタンを押す。「確定」ボタンを押すことで、トリミング枠２００の位置とサイズが確定する。次のステップからはＡＦ枠の設定に移行する。
【００５１】
図３Ｆでトリミング枠２００の位置とサイズを確定すると、次のステップとして、ＡＦ枠２０２の操作に移る。この例では、ユーザの選択に基づき、トリミング枠２００を三分割した交点にＡＦ枠２０２が自動で配置されている。このＡＦ枠２０２の配置に対して、ユーザは、ＡＦ枠２０２の追加や削除もしくは移動を行うことができる。
【００５２】
ユーザーがＡＦ枠２０２を移動する場合、先ず、図４Ａに示すように、ユーザは「ＡＦ枠移動」ボタンをタッチする。その後、ユーザは、移動したいＡＦ枠２０２の内部をタッチして、所望の場所へ移動させる。移動が完了し、ユーザが「確定」ボタンを押すと、ＡＦ枠２０２の位置が移動された場所に確定する。
【００５３】
ユーザーは、ＡＦ枠２０２を追加する場合、図４Ｂに示すように、「ＡＦ枠追加」ボタンをタッチする。これにより、例えば図４Ｃに示すように、中央にＡＦ枠２０２が追加される。追加したＡＦ枠２０２は、上述した方法により移動することができる。
【００５４】
ユーザーがＡＦ枠２０２を削除する場合、先ず、図４Ｄに示すように、「ＡＦ枠削除」ボタンをタッチする。次に、図４Ｅに示すように、削除したいＡＦ枠２０２の内部をタッチすることで、タッチされた右上のＡＦ枠２０２が削除される。
【００５５】
ユーザーがＡＦ枠２０２の移動、追加、削除を行い、ＡＦ枠２０２の所望の配置を確定すると、図４Ｆのように、登録ボタンをタッチする。これにより、図４Ｇに示すように、設定されたトリミング枠２００とＡＦ枠２０２の配置について、登録名を選択する画面が表示される。なお、図４Ｇでは、３つの登録名を示しているが、３つに限定されるものではない。
【００５６】
ユーザが所望の登録名をタッチし、続いて「決定」ボタンをタッチすることにより、所望の登録名でトリミング枠２００とＡＦ枠２０２の設定内容が登録される。図４Ｇでは、“トリミング３“という登録名を選択した例を示している。
【００５７】
［１．３．第１の実施形態の処理手順］
次に、本実施形態の処理手順について説明する。図５Ａ〜図５Ｄは、本実施形態の処理手順を示すフローチャートである。図５Ａに示すように、ステップＳ１０では、カスタマイズボタン１２６が押され、カスタマイズのモードへ遷移する。次のステップＳ１１では、トリミング枠の選択項目が表示される。次のステップＳ１２では、タッチパネル１２１の操作を検知し、「戻る」の操作が検知された場合はカスタマイズ処理を終了する。また、ステップＳ１２において、トリミング枠の選択が検知された場合は、ステップＳ１３へ進み、選択内容をメモリ１４２に１つだけ上書き記憶する。また、ステップＳ１２において、「確定」ボタンの操作が検知された場合は、ステップＳ１４へ進む。ステップＳ１４では、トリミング枠２００の選択内容を記憶する。例えば、トリミング枠が“６切”に選択された場合は、その旨を記憶する。
【００５８】
次に、ステップＳ１６では、ＡＦ枠の選択項目を表示する。次のステップＳ１８では、タッチパネル１２１の操作を検知し、「戻る」の操作が検知された場合はステップＳ１１へ戻る。また、ステップＳ１８において、ＡＦ枠の選択が検知された場合は、ステップＳ２０へ進み、選択されたＡＦ枠が既に選択済のＡＦ枠であるか否かを判定し、既に選択済のＡＦ枠である場合はステップＳ２２へ進み、選択されたＡＦ枠を取り消す。また、ステップＳ２０において、選択されたＡＦ枠が既に選択済のＡＦ枠でない場合はステップＳ２４へ進み、選択されたＡＦ枠を追加して記憶する。上述したようにＡＦ枠は複数選択することが可能である。
【００５９】
ステップＳ１８で「確定」ボタンの操作が検知された場合は、ステップＳ２６へ進む。ステップＳ２６では、ＡＦ枠の選択内容を記憶する。例えば、３分割構図の交点と、中央の１点をＡＦ枠の選択内容として記憶する。次のステップＳ２８では、確定したトリミング枠とＡＦ枠を表示する。ステップＳ２８の後は、図５ＢのステップＳ３０へ進む。
【００６０】
ステップＳ３０では、タッチパネル１２１の操作を検知し、「戻る」の操作が検知された場合は図５ＡのステップＳ１６へ戻る。タッチパネル１２１の操作が検知されない場合は、ステップＳ３０で待機する。ステップＳ３０でサイズ調整の操作が検知された場合は、ステップＳ３２へ進む。
【００６１】
ステップＳ３２では、タッチ操作に応じてトリミング枠のサイズを変更する。次のステップＳ３４では、タッチパネル１２１の操作を検知し、「戻る」の操作が検知された場合は図５ＡのステップＳ１６へ戻る。また、ステップＳ３４において、サイズ調整の操作が検知された場合は、ステップＳ３２に戻り、タッチ操作に応じてトリミング枠のサイズを変更する。また、ステップＳ３４において、「確定」ボタンの操作が検知された場合は、ステップＳ３６へ進む。ステップＳ３６では、ＡＦ枠追加、ＡＦ枠削除、ＡＦ枠移動、登録ボタンを表示する。
【００６２】
次のステップＳ３８では、タッチパネル１２１の操作を検知し、タッチパネル１２１の操作に応じて、図５Ｃ、図５Ｄ、図５Ｅ、図５Ｆの処理を行う。
【００６３】
ステップＳ３８において、「ＡＦ枠移動」ボタンの操作が検知された場合は、図５ＣのステップＳ４０へ進む。ステップＳ４０では、タッチパネル１２１の操作を検知し、「戻る」の操作が検知された場合は図５ＢのステップＳ３８へ戻る。また、タッチパネル１２１の操作が検知されない場合は、ステップＳ４０で待機する。また、ステップＳ４０でＡＦ枠を移動する操作がされた場合は、ステップＳ４２へ進み、タッチパネル１２１の操作に応じてＡＦ枠を選択する。
【００６４】
ステップＳ４２の後はステップＳ４４へ進む。ステップＳ４４では、タッチパネル１２１の操作を検知し、「戻る」の操作が検知された場合はステップＳ４６へ進み、ＡＦ枠の選択を解除した後、ステップＳ４０へ戻る。一方、ステップＳ４４でＡＦ枠の移動操作が検知された場合は、ステップＳ４６へ進む。ステップＳ４６では、タッチパネル１２１の操作に応じてＡＦ枠を移動する。
【００６５】
ステップＳ４６の後はステップＳ４８へ進む。ステップＳ４８では、タッチパネル１２１の操作を検知し、「戻る」の操作が検知された場合はステップＳ５０へ進み、ＡＦ枠を移動前の状態に戻し、ステップＳ４４へ戻る。
【００６６】
また、ステップＳ４８でＡＦ枠の移動操作が検知された場合は、ステップＳ４６へ戻り、タッチパネル１２１の操作に応じてＡＦ枠を移動する。また、ステップＳ４８で「確定」の操作が検知された場合は、図５ＢのステップＳ３８へ戻る。また、ステップＳ４８でタッチパネル１２１の操作が検知されない場合は、ステップＳ４８で待機する。
【００６７】
また、図５ＢのステップＳ３８において、「ＡＦ枠追加」ボタンの操作が検知された場合は、図５ＤのステップＳ５０へ進む。ステップＳ５０では、追加ＡＦ枠を表示する。ステップＳ５０の後は図５ＢのステップＳ３８へ戻る。
【００６８】
また、図５ＢのステップＳ３８において、「ＡＦ枠削除」ボタンの操作が検知された場合は、図５ＥのステップＳ５２へ進む。ステップＳ５２では、タッチパネル１２１の操作を検知し、「戻る」の操作が検知された場合は図５ＢのステップＳ３８へ戻る。また、タッチパネル１２１の操作が検知されない場合は、ステップＳ５２で待機する。また、ステップＳ５２でＡＦ枠を選択する操作がされた場合は、ステップＳ５４へ進み、タッチパネル１２１の操作に応じて選択されたＡＦ枠を削除する。ステップＳ５４の後は図５ＢのステップＳ３８へ戻る。
【００６９】
また、図５ＢのステップＳ３８において、「登録」ボタンの操作が検知された場合は、図５ＦのステップＳ５６へ進む。ステップＳ５６では決定ボタンを表示し、次のステップＳ５８では登録名候補を表示する。次のステップＳ６０では、タッチパネル１２１の操作を検知し、「戻る」の操作が検知された場合は図５ＢのステップＳ３８へ戻る。また、タッチパネル１２１の操作が検知されない場合は、ステップＳ６０で待機する。また、ステップＳ６０において、選択された登録名が検知された場合は、ステップＳ６２へ進み、選択内容が記憶される。選択された登録名は、１つだけ上書き記憶される。
【００７０】
また、ステップＳ６０において、「決定」ボタンの操作が検知された場合は、ステップＳ６４へ進む。ステップＳ６４では、タッチした登録名、すなわち、ステップＳ６２で記憶された登録名でトリミング枠及びＡＦ枠を記録する。ステップＳ６４の後はステップＳ６６へ進む。ステップＳ６６では、トリミング枠及びＡＦ枠のカスタマイズを終了する。
【００７１】
［１．４．カスタマイズしたトリミング枠、ＡＦ枠で撮影する場合のＡＦについて］
次の、上述の方法によりトリミング枠、ＡＦ枠をカスタマイズした場合の撮影について説明する。ユーザがローカルＡＦを選択した場合は、設定したトリミング枠の中のＡＦ枠から選択するようにする。また、ワイドエリアＡＦを選択した場合は、デジタルカメラ１００に元々配置されているＡＦ枠の中から、トリミング枠内のＡＦ枠に加えて、ユーザが設定したＡＦ枠を用いてワイドエリアオートフォーカス処理を行う。
【００７２】
また、ユーザが設定したＡＦ枠のみを用いてオートフォーカスをしても良い。この場合、ユーザにとって必要な場所のみでＡＦの計算が行われるため、高い確率でユーザの思い通りの位置でフォーカスを合わせることができる。
【００７３】
［１．５．ユ−ザがカスタマイズしたトリミング枠、ＡＦ枠で撮影した画像データの再生について］
ユーザがカスタマイズしたトリミング枠、ＡＦ枠で撮影した場合、デジタルカメラ１００は、撮像素子１０４が撮像した全画像データとともにトリミング枠のサイズ、位置情報を記録することができる。また、デジタルカメラ１００は、撮像素子１０４が撮像した全画像データをトリミング枠によりトリミング処理してメディアに記録してもよい。これは、デジタルカメラ１００の設定でいずれかを選択できるようにしておいても良い。デジタルカメラ１００内で実際にトリミング処理をしてからメディアに記録する場合、より多くの枚数を記録することが可能である。
【００７４】
撮影後、パーソナルコンピュータ（ＰＣ）で再生するときには、現像ソフトを起動する。カスタマイズしたトリミング枠、ＡＦ枠で撮影した画像の場合、トリミング情報を取得し、ＰＣ上での再生時、トリミング枠を表示させることもできる。また、そのトリミング枠にしたがって、トリミング処理を行うこともできる。
【００７５】
以上説明したように本実施形態によれば、六切や四切でプリントしたい場合、縦横比が３：２表示や４：３表示のライブビューに、ユーザが所望のアスペクト比のトリミング枠を表示させることが可能となる。従って、ユーザがトリミング枠を想像しながら撮影を行う場合に比べて、ユーザは、はるかに精度高く、構図の追い込みを行うことができる。
【００７６】
また、トリミング枠とＡＦ枠の両方をカスタマイズできるため、トリミング枠を設定した上で、そのトリミング枠に対してユーザが所望のＡＦ枠を設定することができる。これにより、ユーザは、トリミング枠に対するＡＦ枠の位置をイメージし易くなり、トリミング後の画像に対するＡＦ枠位置を的確に設定することができる。
【００７７】
また、トリミング枠とＡＦ枠の両方をカスタマイズできるため、所望のトリミング枠に適合したＡＦ枠の配置を行うことができる。従って、トリミング後の画像に対して、構図、ピント位置共にユーザにとって最適の画像を得ることができる。
【００７８】
また、トリミング枠を設定し、トリミング枠外の画像データを記録しないことにより、画像のデータ容量を低く抑えることができ、記録枚数を上げることができる。
【００７９】
また、トリミング枠を横に対して縦が長いアスペクト比にすることにより、トリミング後は縦位置撮影の画像を得ることができる。また、その縦位置トリミング枠に対して、ユーザにとって最適な位置にＡＦ枠を設定できる。これにより、縦位置グリップのような特殊な機材を使わなくても、縦位置でカメラを保持する独特な撮影スタイルを回避でき、水平を取りやすい横位置撮影スタイルで縦位置画像を得ることができる。
【００８０】
＜２．第２の実施形態＞
［２．１．トリミング枠、ＡＦ枠をカスタマイズして設定する方法の具体例］
次に、本開示の第２の実施形態について説明する。第２の実施形態は、タッチパネル操作と音声認識を組み合わせることで操作の柔軟性を高めたものである。第１の実施形態と同様に、デジタルカメラ１００の背面の液晶モニタ１２０はタッチパネル１２１を有しており、ユーザの指操作により容易にトリミング枠２００やＡＦ枠２０２を配置できる。第２の実施形態では、内蔵マイク１２８による音声認識を併用することで、トリミング枠２００とＡＦ枠２０２の設定を行う。
【００８１】
図６Ａ〜図６Ｆは、トリミング枠２００とＡＦ枠２０２の設定モードに入った後の操作の具体例を示したものである。トリミング枠ＡＦ枠カスタマイズボタン１２６が押されると、例えば、図６Ａに示すような表示が現れる。この状態から、ユーザは、図６Ｂに示すように人差し指と親指でタッチパネル１２１に触れる。そして、図６Ｃに示すように、ユーザが、デジタルカメラ１００に向かって“６切”と発声すると、６切サイズの２０３：２５４のアスペクト比を有するトリミング枠２００が表示される。トリミング枠２００は、人差し指と親指でタッチしている位置がトリミング枠２００の対角に位置するように表示する。ユーザは図６Ｄのようにタッチしている指を動かすことで、トリミング枠２００の大きさ、位置を調整することができる。また、トリミング枠２００のサイズ、位置を調整している最中でも、図６Ｅのように“４切”と発声すると、４切サイズの２５４：３０４のアスペクト比を有するトリミング枠２００に変更することもできる。変更した場合においても、人差し指と親指でタッチしている位置が対角に近い形になる様に表示する。次に、図６Ｆに示すように、ユーザは、トリミング枠２００の大きさ、位置を決めた後、“確定”と発声することで、トリミング枠２００の大きさ、位置が確定する。
【００８２】
第２の実施形態では、ＡＦ枠２０２も音声を用いて設定することができる。例えば図７Ａに示すように、ユーザがデジタルカメラ１００に向かって、“３分割構図交点”と発声すると、トリミング枠２００を３分割した交点にＡＦ枠２０２が表示される。ＡＦ枠２０２を追加したい場合、図７Ｂに示すように、ユーザが“追加”と発声することで、ＡＦ枠２０２の追加モードになり、更に、“中央一点”と話すと、ＡＦ枠２０２がトリミング枠２００の中央１点に追加される。ＡＦ枠２０２を移動する場合は、図７Ｃに示すように、“移動”と発声することで、ＡＦ枠２０２を移動するモードとなり、移動させたいＡＦ枠２０２をタッチして、所望の位置までもっていくことができる。図７Ｃでは、追加したＡＦ枠２０２を選択して移動する例を示しているが、３分割構図交点上のＡＦ枠２０２を移動させることももちろん可能である。更にＡＦ枠２０２を追加する場合は、“追加”と発声すれば良い。
【００８３】
ＡＦ枠２０２は単発で１つを追加することもできる。例えば図７Ａに示す状態で、“追加”と発声することで、追加モードになり、更に、“ＡＦ枠”と発声すると、図７Ｄに示すようにＡＦ枠２０２が１つ追加される。
【００８４】
ＡＦ枠２０２の削除については、ユーザが“削除”と発声することでＡＦ枠２０２の削除モードになり、図７Ｅに示すように、所望のＡＦ枠２０２をタッチすると、そのＡＦ枠２０２が削除される。
【００８５】
所望のトリミング枠２００、ＡＦ枠２０２の設定が終わると、ユーザはその内容を登録する。この時、ユーザは“登録”と発声する。これにより、図７Ｆに示すように、登録名の候補が表示される。そして、図７Ｇに示すように、登録名の候補の１つ“トリミング１”を発生すると、登録名候補として「トリミング１」が選択される。そして、図７Ｈに示すように、“確定”と発声することで登録名「トリミング１」が登録される。
【００８６】
［２．２．第２の実施形態の処理手順］
次に、本実施形態の処理手順について説明する。図８Ａ〜図８Ｄは、本実施形態の処理手順を示すフローチャートである。図８Ａに示すように、ステップＳ７０では、カスタマイズボタン１２６が押され、カスタマイズのモードへ遷移する。次のステップＳ７２では、トリミング枠の選択項目が表示される。次のステップＳ７４では、音声を認識し、「戻る」の音声が認識された場合はカスタマイズ処理を終了する。また、ステップＳ７４において、「トリミング枠」の音声が認識検知された場合は、トリミング枠の選択内容をメモリ１４２に１つだけ上書き記憶する。また、ステップＳ７４において、「確定」の音声が認識された場合は、ステップＳ７６へ進む。ステップＳ７６では、ＡＦ枠の選択項目を表示する。
【００８７】
ステップＳ７６の後はステップＳ７８へ進む。ステップＳ７８では、音声を認識し、「戻る」の音声が認識された場合はステップＳ７２へ戻る。また、ステップＳ７８において、ＡＦ枠の選択の音声が認識検知された場合は、ステップＳ８０へ進み、ＡＦ枠を表示する。ステップＳ８０の後はステップＳ７８へ戻る。
【００８８】
また、ステップＳ７８において、「移動」の音声が認識された場合、「削除」の音声が認識された場合、「追加」の音声が認識された場合は、それぞれ図８Ｂ、図８Ｄ、図８Ｃの処理を行う。
【００８９】
ステップＳ７８において、「移動」の音声が認識された場合は、図８ＢのステップＳ１００及びステップＳ１０２へ進む。以降の処理では、ステップＳ１００の音声認識とステップＳ１０２以降のタッチパネルの検知処理を並行して行う。
【００９０】
ステップＳ１０２では、タッチパネル１２１の操作を検知し、タッチパネル１２１が操作された場合はステップＳ１０４へ進む。ステップＳ１０４では、タッチパネル１２１の操作に応じてＡＦ枠を選択する。一方、ステップＳ１０２でタッチパネル１２１が操作されない場合は、ステップＳ１０２で待機する。
【００９１】
ステップＳ１０４の後はステップＳ１０６へ進む。ステップＳ１０６では、タッチパネル１２１の操作に応じてＡＦ枠を移動する。
【００９２】
また、ステップＳ１０２〜ステップＳ１０６の処理において、ステップＳ１００で「戻る」または「確定」の音声が認識された場合は、図８ＡのステップＳ７６へ戻る。
【００９３】
ステップＳ７８において、「削除」の音声が認識された場合は、図８ＤのステップＳ１１０及びステップＳ１１２へ進む。以降の処理では、ステップＳ１１０の音声認識とステップＳ１１２以降のタッチパネル検知処理を並行して行う。
【００９４】
ステップＳ１１２では、タッチパネル１２１の操作を検知し、タッチパネル１２１が操作された場合はステップＳ１１４へ進む。ステップＳ１１４では、タッチパネル１２１の操作に応じて選択されたＡＦ枠を削除する。ステップＳ１１４の後は図８ＡのステップＳ７６へ戻る。
【００９５】
また、ステップＳ１１２〜ステップＳ１１４の処理において、ステップＳ１００で「戻る」の音声が認識された場合は、図８ＡのステップＳ７６へ戻る。
【００９６】
ステップＳ７８において、「追加」の音声が認識された場合は、図８ＣのステップＳ１２０へ進む。ステップＳ１２０では、音声認識を行い、「追加ＡＦ枠選択」の音声が認識された場合は、図８ＡのステップＳ８０へ進む。また、ステップＳ１２０において、「戻る」の音声が認識された場合は、図８ＡのステップＳ７６へ戻る。
【００９７】
また、ステップＳ１２０において、「ＡＦ枠」の音声を認識した場合は、ステップＳ１２２へ進む。ステップＳ１２２では、追加のＡＦ枠を表示する。ステップＳ１２２の後は図８ＡのステップＳ７６へ戻る。
【００９８】
図８ＡのステップＳ７８において、「登録」の音声が認識された場合は、ステップＳ８０へ進む。ステップＳ８０では、登録名の候補を表示する。次のステップＳ８１では、音声認識を行い、「戻る」の音声が認識された場合は、図８ＡのステップＳ７６へ戻る。また、「登録名」の音声が認識された場合は、ステップＳ８２へ進み、選択登録名候補をハイライト表示する。ステップＳ８２の後はステップＳ８０へ戻る。また、ステップＳ８０で音声認識がされなかった場合は、ステップＳ８０で待機する。
【００９９】
また、ステップＳ８０で「確定」の音声が認識された場合は、ステップＳ８４へ進み、認識した登録名でトリミング枠及びＡＦ枠情報を記録する。次のステップＳ８６では、トリミング枠及びＡＦ枠のカスタマイズを終了する。
【０１００】
ステップＳ７４以降の処理は、図８Ｅに示すステップＳ１３０以降の処理と並列して行われる。ステップＳ１３０では、トリミング枠を表示する。トリミング枠のアスペクト比は、記憶されたトリミング枠の選択内容に基づいて定められる。ステップＳ１３０の後はステップＳ１３２へ進む。ステップＳ１３２では、タッチパネル１２１の操作に応じて、トリミング枠のサイズを変更する。ステップＳ１３２においても、トリミング枠のアスペクト比は、記憶されたトリミング枠の選択内容に基づいて定められる。
【０１０１】
ステップＳ１３０，Ｓ１３２においては、ステップＳ７４の音声認識で「戻る」又は「確定」の音声が認識された場合は、カスタマイズ処理を終了する。
【０１０２】
以上説明したように本実施形態によれば、音声認識とタッチパネル操作を併用することで、トリミング枠とＡＦ枠の設定をより容易に行うことが可能となる。従って、ユーザは、トリミング枠とＡＦ枠を簡単な操作で設定することが可能となる。
【０１０３】
＜３．第３の実施形態＞
次に、本開示の第３の実施形態について説明する。上述した第１及び第２の実施形態では、デジタルカメラ１００での操作を説明した。第３の実施形態では、パーソナルコンピュータ（ＰＣ）上で操作を行い、トリミング枠、ＡＦ枠をカスタマイズ設定する例について説明する。
【０１０４】
ここでは、トリミング枠、ＡＦ枠を設定するソフトウェアを用い、上述したデジタルカメラ１００上で行う操作を、ＰＣ上でマウスを使って行うことができる。そして、設定した内容を、登録名を決めて記憶する。ＰＣでは、キーボードを使うことができるため、登録名の設定の自由度を高めることもできる。記憶した内容は、例えば、ＣＦカードなどのメディアに書き込み、このメディアをデジタルカメラ１００の本体に装着して、トリミング枠及びＡＦ枠のデータをデジタルカメラに取り込むようにしても良い。
【０１０５】
図９Ａ及び図９Ｂは、第３の実施形態の構成例を示す模式図である。図９Ａに示すパーソナルコンピュータ３００は、図２のＣＰＵ１５０及び関連する構成要素を備えている。図９Ａに示すように、パーソナルコンピュータ３００をユーザが操作することにより、パーソナルコンピュータ３００に挿入された記録メディア１０８にトリミング枠及びＡＦ枠の情報が記憶される。トリミング枠及びＡＦ枠は、“ａａａ”という登録名で記録メディア１０８に記録される。
【０１０６】
図９Ｂに示すように、トリミング枠、ＡＦ枠、及び登録名が記録された記録メディア１０８は、デジタルカメラ１００の記録メディア１０８の挿入口１１０に挿入される。デジタルカメラ１００は、記録メディア１１０に記録された情報を読み出すことで、トリミング枠、ＡＦ枠、及び登録名を取得し、カスタマイズ内容としてメモリに保存する。
【０１０７】
以上説明したように本実施形態によれば、パーソナルコンピュータ３００上での操作により、トリミング枠及びＡＦ枠を設定することができる。これにより、ユーザは、パーソナルコンピュータ３００上で設定したトリミング枠及びＡＦ枠が記録された記録メディアをデジタルカメラ１００に挿入することで、デジタルカメラ１００のトリミング枠及びＡＦ枠を設定することができる。
【０１０８】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１０９】
なお、以下のような構成も本開示の技術的範囲に属する。
（１）ユーザによる指示入力を取得する指示入力取得部と、
前記指示入力に基づいて、画像をトリミングするトリミング枠を設定するトリミング枠設定部と、
前記トリミング枠に対して、前記画像の検出を行う範囲を示す検出枠を設定する検出枠設定部と、
を備える、画像処理装置。
（２）前記指示入力取得部は、ユーザによる操作が入力される操作入力部である、前記（１）に記載の画像処理装置。
（３）前記指示入力取得部は、タッチパネルから構成される、前記（２）に記載の画像処理装置。
（４）前記トリミング枠設定部は、前記タッチパネルへのマルチタッチ操作に基づいて、前記トリミング枠を設定する、前記（３）に記載の画像処理装置。
（５）前記指示入力取得部は、ユーザによる音声が入力される音声入力部である、前記（１）に記載の画像処理装置。
（６）前記検出枠設定部は、前記トリミング枠に対して前記検出枠を自動で設定する、前記（１）に記載の画像処理装置。
（７）前記検出枠設定部は、前記指示入力に基づいて、前記トリミング枠に対して前記検出枠を制御する、前記（１）に記載の画像処理装置。
（８）前記トリミング枠及び前記検出枠を表示する表示部を備える、前記（１）に記載の画像処理装置。
（９）前記撮像画像を撮像する撮像素子を備える、前記（１）に記載の画像処理装置。
（１０）前記トリミング枠設定部は、前記トリミング枠のサイズ又は位置を制御する、前記（１）に記載の画像処理装置。
（１１）前記検出枠検出部は、前記検出枠のサイズ又は位置、若しくは前記検出枠の追加又は削除を設定する、前記（１）に記載の画像処理装置。
（１２）前記トリミング枠設定部は、前記トリミング枠のアスペクト比を予め定められたアスペクト比に設定する、前記（１）に記載の画像処理装置。
（１３）確定した前記トリミング枠及び前記検出枠を記憶部に記憶させる記憶処理部を備える、前記（１）に記載の画像処理装置。
（１４）前記記憶処理部は、確定した前記トリミング枠及び前記検出枠を登録名とともに記録させる、前記（１）に記載の画像処理装置。
（１５）ユーザによる指示入力を取得することと、
前記指示入力に基づいて、画像をトリミングするトリミング枠を設定することと、
前記トリミング枠に対して、前記画像の検出を行う範囲を示す検出枠を設定することと、
を備える、画像処理方法。
（１６）ユーザによる指示入力を取得することと、
前記指示入力に基づいて、画像をトリミングするトリミング枠を設定することと、
前記トリミング枠に対して、前記画像の検出を行う範囲を示す検出枠を設定することと、
をコンピュータに実行させるためのプログラムを記録したコンピュータ読み取り可能な記録媒体。
【符号の説明】
【０１１０】
１００    デジタルカメラ
１０４    撮像素子
１０８    記録メディア
１２０    液晶モニタ
１２８    内蔵マイク
１４４    カスタマイズメモリ
１５０    ＣＰＵ
１５０ａ  トリミング枠制御部
１５０ｂ  ＡＦ枠制御部
１５０ｃ  記録処理部
【図１Ａ】
2013161424.tif 000003
【図１Ｂ】
2013161424.tif 000004
【図２】
2013161424.tif 000005
【図３Ａ】
2013161424.tif 000006
【図３Ｂ】
2013161424.tif 000007
【図３Ｃ】
2013161424.tif 000008
【図３Ｄ】
2013161424.tif 000009
【図３Ｅ】
2013161424.tif 000010
【図３Ｆ】
2013161424.tif 000011
【図４Ａ】
2013161424.tif 000012
【図４Ｂ】
2013161424.tif 000013
【図４Ｃ】
2013161424.tif 000014
【図４Ｄ】
2013161424.tif 000015
【図４Ｅ】
2013161424.tif 000016
【図４Ｆ】
2013161424.tif 000017
【図４Ｇ】
2013161424.tif 000018
【図５Ａ】
2013161424.tif 000019
【図５Ｂ】
2013161424.tif 000020
【図５Ｃ】
2013161424.tif 000021
【図５Ｄ】
2013161424.tif 000022
【図５Ｅ】
2013161424.tif 000023
【図５Ｆ】
2013161424.tif 000024
【図６Ａ】
2013161424.tif 000025
【図６Ｂ】
2013161424.tif 000026
【図６Ｃ】
2013161424.tif 000027
【図６Ｄ】
2013161424.tif 000028
【図６Ｅ】
2013161424.tif 000029
【図６Ｆ】
2013161424.tif 000030
【図７Ａ】
2013161424.tif 000031
【図７Ｂ】
2013161424.tif 000032
【図７Ｃ】
2013161424.tif 000033
【図７Ｄ】
2013161424.tif 000034
【図７Ｅ】
2013161424.tif 000035
【図７Ｆ】
2013161424.tif 000036
【図７Ｇ】
2013161424.tif 000037
【図７Ｈ】
2013161424.tif 000038
【図８Ａ】
2013161424.tif 000039
【図８Ｂ】
2013161424.tif 000040
【図８Ｃ】
2013161424.tif 000041
【図８Ｄ】
2013161424.tif 000042
【図８Ｅ】
2013161424.tif 000043
【図９Ａ】
2013161424.tif 000044
【図９Ｂ】
2013161424.tif 000045
【国際調査報告】
2013161424.tif 000046
2013161424.tif 000047
2013161424.tif 000048
2013161424.tif 000049